(57)【要約】【課題】３次元計測の処理負荷を軽減して、カメラのプロセッサでもリアルタイムな処理が可能になるようにする。【解決手段】カメラの制御部１３が、撮像部１１，１２の一方で撮像した撮像時刻が異なる複数の撮像画像の明るさを揃える正規化を行う正規化処理部２２と、正規化された複数の撮像画像を比較して、その撮像画像間の差分領域を３次元計測の対象領域として抽出する差分領域抽出部２３と、複数の撮像画像における対象領域を対象にして、被写体の３次元位置を計測する３次元計測を行って、対象領域の３次元情報を取得する３次元計測部２４と、対象領域の３次元情報と背景の３次元情報とを比較して、監視エリアに新たに出現した物体を表す前景領域を検出することにより、監視エリアに侵入した物体を検知する侵入検知部２５と、を備えものとする。【選択図】図４
2019079173.tif 000002
【特許請求の範囲】
【請求項１】
離間配置された少なくとも２つの撮像部で監視エリアを撮像した複数の撮像画像から、監視エリアの３次元情報を取得して、その３次元情報に基づいて、監視エリアに侵入した物体を検知する３次元侵入検知システムであって、
前記撮像部で撮像した複数の前記撮像画像を取得する画像取得部と、
一方の前記撮像部で撮像した撮像時刻が異なる複数の前記撮像画像を比較して、その撮像画像間の差分領域を３次元計測の対象領域として抽出する差分領域抽出部と、
複数の前記撮像画像における前記対象領域を対象にして、被写体の３次元位置を計測する３次元計測を行って、前記対象領域の３次元情報を取得する３次元計測部と、
前記対象領域の３次元情報と背景の３次元情報とを比較して、監視エリアに新たに出現した物体を表す前景領域を検出することにより、監視エリアに侵入した物体を検知する侵入検知部と、
を備えたことを特徴とする３次元侵入検知システム。
【請求項２】
さらに、複数の前記撮像画像の明るさを揃える正規化を行う正規化処理部を備え、
前記差分領域抽出部は、前記正規化処理部で正規化された前記撮像画像に基づいて、前記差分領域を抽出することを特徴とする請求項１に記載の３次元侵入検知システム。
【請求項３】
前記正規化処理部は、前記撮像画像の平均輝度に基づいて、前記撮像画像の各画素の輝度を補正することを特徴とする請求項２に記載の３次元侵入検知システム。
【請求項４】
さらに、表示装置に表示する監視画面を生成する画面生成部を備え、
前記画面生成部は、前記監視画面に、複数の前記撮像画像の少なくとも一方を表示すると共に、その撮像画像上における前記前景領域に対応する位置に、侵入物体を表すマーク画像を表示することを特徴とする請求項１から請求項３のいずれかに記載の３次元侵入検知システム。
【請求項５】
前記画面生成部は、前記侵入検知部により複数の物体を検知した場合、物体の種別、および検知時刻からの経過時間の少なくともいずれかに応じて、前記マーク画像を色分けして表示することを特徴とする請求項４に記載の３次元侵入検知システム。
【請求項６】
前記画面生成部は、前記侵入検知部により複数の物体を検知した場合、前記撮像画像上での前記前景領域に対応する位置に、物体の大きさ、物体識別情報、検知時刻、検知順位、および検知時刻からの経過時間の少なくともいずれかに関する文字情報を表示することを特徴とする請求項４に記載の３次元侵入検知システム。
【請求項７】
監視エリアを撮像するカメラ装置を備え、
このカメラ装置が、前記撮像部と、前記画像取得部と、前記差分領域抽出部と、前記３次元計測部と、前記侵入検知部と、を備えたことを特徴とする請求項１に記載の３次元侵入検知システム。
【請求項８】
離間配置された少なくとも２つの撮像部で監視エリアを撮像した複数の撮像画像から、監視エリアの３次元情報を取得して、その３次元情報に基づいて、監視エリアに侵入した物体を検知する処理をプロセッサに行わせる３次元侵入検知方法であって、
前記撮像部で撮像した複数の前記撮像画像を取得し、
一方の前記撮像部で撮像した撮像時刻が異なる複数の前記撮像画像を比較して、その撮像画像間の差分領域を３次元計測の対象領域として抽出し、
複数の前記撮像画像における前記対象領域を対象にして、被写体の３次元位置を計測する３次元計測を行って、前記対象領域の３次元情報を取得し、
前記対象領域の３次元情報と背景の３次元情報とを比較して、監視エリアに新たに出現した物体を表す前景領域を検出することにより、監視エリアに侵入した物体を検知することを特徴とする３次元侵入検知方法。
【発明の詳細な説明】
【技術分野】
【０００１】
本発明は、離間配置された少なくとも２つの撮像部で監視エリアを撮像した複数の撮像画像から、監視エリアの３次元情報を取得して、その３次元情報に基づいて、監視エリアに侵入した物体を検知する３次元侵入検知システムおよび３次元侵入検知方法に関するものである。
【背景技術】
【０００２】
監視エリアを撮像するカメラを設置して、そのカメラの撮像画像の画像処理により、監視エリアに侵入する人物などの物体を検知する侵入検知システムが広く普及している。このような侵入検知システムでは、明るさなどの環境が変化することで、誤検知が頻繁に発生することから、環境変化の影響を受けにくい頑強な侵入検知が可能な技術が望まれる。
【０００３】
このような侵入検知に関する技術として、従来、左右の撮像画像に基づいて、監視エリア内の物体の３次元位置を計測する３次元計測（ステレオ画像処理）を行って、監視エリアの３次元情報を取得して、その３次元情報に基づいて、監視エリアに侵入した物体を検知する技術が知られている（特許文献１参照）。
【先行技術文献】
【特許文献】
【０００４】
【特許文献１】特許第３３８８０８７号公報
【発明の概要】
【発明が解決しようとする課題】
【０００５】
さて、このような侵入検知システムでは、３次元計測の処理負荷が大きいため、リアルタイムな処理を行おうとすると、高速なプロセッサを備えたＰＣが必要となるが、このようなシステムでは、システムの導入および運用が面倒になる。そこで、カメラに内蔵されたプロセッサなどの低速のプロセッサでもリアルタイムな処理が可能な技術が望まれるが、前記従来の技術では、このような要望を満足することができないという問題があった。
【０００６】
そこで、本発明は、３次元計測の処理負荷を軽減して、カメラに内蔵されたプロセッサなどの低速のプロセッサでもリアルタイムな処理が可能になる３次元侵入検知システムおよび３次元侵入検知方法を提供することを主な目的とする。
【課題を解決するための手段】
【０００７】
本発明の３次元侵入検知システムは、離間配置された少なくとも２つの撮像部で監視エリアを撮像した複数の撮像画像から、監視エリアの３次元情報を取得して、その３次元情報に基づいて、監視エリアに侵入した物体を検知する３次元侵入検知システムであって、前記撮像部で撮像した複数の前記撮像画像を取得する画像取得部と、一方の前記撮像部で撮像した撮像時刻が異なる複数の前記撮像画像を比較して、その撮像画像間の差分領域を３次元計測の対象領域として抽出する差分領域抽出部と、複数の前記撮像画像における前記対象領域を対象にして、被写体の３次元位置を計測する３次元計測を行って、前記対象領域の３次元情報を取得する３次元計測部と、前記対象領域の３次元情報と背景の３次元情報とを比較して、監視エリアに新たに出現した物体を表す前景領域を検出することにより、監視エリアに侵入した物体を検知する侵入検知部と、を備えた構成とする。
【０００８】
また、本発明の３次元侵入検知方法は、離間配置された少なくとも２つの撮像部で監視エリアを撮像した複数の撮像画像から、監視エリアの３次元情報を取得して、その３次元情報に基づいて、監視エリアに侵入した物体を検知する処理をプロセッサに行わせる３次元侵入検知方法であって、前記撮像部で撮像した複数の前記撮像画像を取得し、一方の前記撮像部で撮像した撮像時刻が異なる複数の前記撮像画像を比較して、その撮像画像間の差分領域を３次元計測の対象領域として抽出し、複数の前記撮像画像における前記対象領域を対象にして、被写体の３次元位置を計測する３次元計測を行って、前記対象領域の３次元情報を取得し、前記対象領域の３次元情報と背景の３次元情報とを比較して、監視エリアに新たに出現した物体を表す前景領域を検出することにより、監視エリアに侵入した物体を検知する構成とする。
【発明の効果】
【０００９】
本発明によれば、撮像時刻が異なる複数の撮像画像間の差分領域を３次元計測の対象領域として抽出して、３次元計測の対象領域を絞り込むため、３次元計測の処理負荷を軽減することができ、カメラに内蔵されたプロセッサなどの低速のプロセッサでもリアルタイムな処理が可能になる。
【図面の簡単な説明】
【００１０】
【図１】本実施形態に係る３次元侵入検知システムの全体構成図
【図２】カメラ１の制御部１３で行われる処理の概要を示す説明図
【図３】カメラ１の制御部１３で行われる処理の概要を示す説明図
【図４】カメラ１の概略構成を示すブロック図
【図５】モニタ２に表示される監視画面を示す説明図
【図６】モニタ２に表示される監視画面を示す説明図
【発明を実施するための形態】
【００１１】
前記課題を解決するためになされた第１の発明は、離間配置された少なくとも２つの撮像部で監視エリアを撮像した複数の撮像画像から、監視エリアの３次元情報を取得して、その３次元情報に基づいて、監視エリアに侵入した物体を検知する３次元侵入検知システムであって、前記撮像部で撮像した複数の前記撮像画像を取得する画像取得部と、一方の前記撮像部で撮像した撮像時刻が異なる複数の前記撮像画像を比較して、その撮像画像間の差分領域を３次元計測の対象領域として抽出する差分領域抽出部と、複数の前記撮像画像における前記対象領域を対象にして、被写体の３次元位置を計測する３次元計測を行って、前記対象領域の３次元情報を取得する３次元計測部と、前記対象領域の３次元情報と背景の３次元情報とを比較して、監視エリアに新たに出現した物体を表す前景領域を検出することにより、監視エリアに侵入した物体を検知する侵入検知部と、を備えた構成とする。
【００１２】
これによると、撮像時刻が異なる複数の撮像画像間の差分領域を３次元計測の対象領域として抽出して、３次元計測の対象領域を絞り込むため、３次元計測の処理負荷を軽減することができ、カメラに内蔵されたプロセッサなどの低速のプロセッサでもリアルタイムな処理が可能になる。
【００１３】
また、第２の発明は、さらに、複数の前記撮像画像の明るさを揃える正規化を行う正規化処理部を備え、前記差分領域抽出部は、前記正規化処理部で正規化された前記撮像画像に基づいて、前記差分領域を抽出する構成とする。
【００１４】
これによると、差分領域抽出部で比較する複数の撮像画像の明るさを揃える正規化を行うため、差分領域抽出部の処理が、明るさの変化による影響を受けにくくなり、侵入物体ではない領域が差分領域として抽出されることを抑制して、３次元計測の対象領域を適切に絞り込むことができる。
【００１５】
また、第３の発明は、前記正規化処理部は、前記撮像画像の平均輝度に基づいて、前記撮像画像の各画素の輝度を補正する構成とする。
【００１６】
これによると、撮像画像の明るさを揃える正規化を適切に行うことができる。
【００１７】
また、第４の発明は、さらに、表示装置に表示する監視画面を生成する画面生成部を備え、前記画面生成部は、前記監視画面に、複数の前記撮像画像の少なくとも一方を表示すると共に、その撮像画像上における前記前景領域に対応する位置に、侵入物体を表すマーク画像を表示する構成とする。
【００１８】
これによると、撮像画像に写る侵入物体を監視者が即座に把握することができる。また、誤検知でないか否かを監視者が容易に確認することができる。
【００１９】
また、第５の発明は、前記画面生成部は、前記侵入検知部により複数の物体を検知した場合、物体の種別、および検知時刻からの経過時間の少なくともいずれかに応じて、前記マーク画像を色分けして表示する構成とする。
【００２０】
これによると、侵入物体の種別や検知時刻からの経過時間を監視者が即座に把握することができる。
【００２１】
また、第６の発明は、前記画面生成部は、前記侵入検知部により複数の物体を検知した場合、前記撮像画像上での前記前景領域に対応する位置に、物体の大きさ、物体識別情報、検知時刻、検知順位、および検知時刻からの経過時間の少なくともいずれかに関する文字情報を表示する構成とする。
【００２２】
これによると、侵入物体の大きさなどの情報を監視者が即座に把握することができる。
【００２３】
また、第７の発明は、監視エリアを撮像するカメラ装置を備え、このカメラ装置が、前記撮像部と、前記画像取得部と、前記差分領域抽出部と、前記３次元計測部と、前記侵入検知部と、を備えた構成とする。
【００２４】
これによると、必要な処理がカメラ装置内で行われるため、システム構成を簡素化することができるため、システムの導入および運用が容易になる。
【００２５】
また、第８の発明は、離間配置された少なくとも２つの撮像部で監視エリアを撮像した複数の撮像画像から、監視エリアの３次元情報を取得して、その３次元情報に基づいて、監視エリアに侵入した物体を検知する処理をプロセッサに行わせる３次元侵入検知方法であって、前記撮像部で撮像した複数の前記撮像画像を取得し、一方の前記撮像部で撮像した撮像時刻が異なる複数の前記撮像画像を比較して、その撮像画像間の差分領域を３次元計測の対象領域として抽出し、複数の前記撮像画像における前記対象領域を対象にして、被写体の３次元位置を計測する３次元計測を行って、前記対象領域の３次元情報を取得し、前記対象領域の３次元情報と背景の３次元情報とを比較して、監視エリアに新たに出現した物体を表す前景領域を検出することにより、監視エリアに侵入した物体を検知する構成とする。
【００２６】
これによると、第１の発明と同様に、３次元計測の処理負荷を軽減して、カメラに内蔵されたプロセッサなどの低速のプロセッサでもリアルタイムな処理が可能になる。
【００２７】
以下、本発明の実施の形態を、図面を参照しながら説明する。
【００２８】
図１は、本実施形態に係る３次元侵入検知システムの全体構成図である。
【００２９】
この３次元侵入検知システムは、対象となる施設内の監視エリアに侵入する人物などを検知するものであり、カメラ１（カメラ装置）と、モニタ２（表示装置）と、警報装置３と、を備えている。カメラ１とモニタ２と警報装置３とは、施設内に設けられた構内ネットワークやインターネットなどのネットワークを介して接続されている。
【００３０】
カメラ１は、対象となる施設に設置される。このカメラ１は、左右の撮像部１１，１２を備えており、この左右の撮像部１１，１２は、施設内の監視エリアを所定のフレームレートで定期的に撮像し、各時刻の左右の撮像画像（フレーム画像）を出力する。また、カメラ１は、制御部１３を備えており、この制御部１３では、左右の撮像部１１，１２から出力される左右の撮像画像に基づいて、被写体の３次元位置を計測する３次元計測を行い、この３次元計測で取得した監視エリアの３次元情報に基づいて、監視エリアに侵入した人物などの物体を検知する。
【００３１】
なお、カメラ１は、左右の撮像部１１，１２を１つの筐体内に収容してステレオカメラ（２眼カメラ）として構成してもよいが、左右の撮像部１１，１２の各々を単眼カメラで構成して、所定の距離をおいて左右に離間して設置するようにすると、２つの撮像部１１，１２の間隔を大きく確保できるため、奥行きのある３次元情報を取得することができ、広域の監視に適している。さらに、３以上の単眼カメラを設置し、任意の２つの撮像部を用いて３次元情報を取得するようにしてもよい。
【００３２】
モニタ２および警報装置３は、対象となる施設内または施設外の監視室に設置される。モニタ２には、監視者が閲覧する監視画面が表示され、この監視画面には、カメラ１の撮像画像が表示され、監視エリアの実際の状況を監視員が把握することができる。また、監視画面には、カメラ１での侵入検知結果が表示され、監視エリアに物体が侵入したことを監視員が把握することができる。警報装置３は、ランプの点灯や音声の出力などにより、監視エリアに物体が侵入したことを監視員に通知する。なお、モニタ２は、監視員が所持する無線系のモバイル端末（タブレット、スマートフォンなど）で構成してもよい。
【００３３】
なお、本実施形態では、侵入検知に必要な処理をカメラ１の制御部１３で行うようにしたが、侵入検知に必要な処理をカメラ１とは別の情報処理装置で行うようにしてもよい。
【００３４】
次に、カメラ１の制御部１３で行われる処理の概要について説明する。図２および図３は、カメラ１の制御部１３で行われる処理の概要を示す説明図である。
【００３５】
カメラ１の制御部１３では、左右の撮像部１１，１２から左右の撮像画像を取得して、この左右の撮像画像に基づいて、監視エリア内の物体の３次元位置を計測する３次元計測を行い、この３次元計測で取得した監視エリアの３次元情報に基づいて、監視エリア内に侵入した人物などの物体を検知する。
【００３６】
このとき、撮像画像の全体を対象にして３次元計測を行うと、３次元計測の処理負荷が大きく、カメラ１の制御部１３でリアルタイムな処理ができない。
【００３７】
そこで、本実施形態では、図２に示すように、今回（現在）のフレーム画像（撮像画像）と前回（直前）のフレーム画像（撮像画像）とを比較して、フレーム画像間の差分領域を３次元計測の対象領域として抽出する。このとき、フレーム画像間で変化が現れた領域、すなわち、被写体に動きのある領域（画素）が差分領域として抽出される。なお、差分領域は、輝度に有意な差異が認められる画素の集合である。
【００３８】
また、今回および前回の２つのフレーム画像では明るさが大きく変化する場合がある。例えば、雲が移動するのに応じて日射の状況が急激に変化すると、２つのフレーム画像の明るさが大きく異なる。このような場合、３次元計測の対象領域としての差分領域を適切に抽出することができない。すなわち、侵入物体でない領域が差分領域として大量に抽出され、３次元計測の対象領域を十分に絞り込むことができない。
【００３９】
そこで、本実施形態では、図２に示すように、差分領域抽出の前処理として、今回および前回の２つのフレーム画像の明るさを揃える正規化を行い、正規化済みの２つのフレーム画像を用いて差分領域を抽出する。すなわち、正規化により輝度が補正された２つのフレーム画像同士で依然として輝度に有意な差がある画素が差分領域として抽出される。
【００４０】
このようにして、３次元計測の対象領域（差分領域）が抽出されると、次に、図３に示すように、左側の今回のフレーム画像と、右側の今回のフレーム画像と、対象領域の位置情報とに基づいて、左右のフレーム画像の対象領域を対象にして、被写体の３次元位置を計測する３次元計測を行って、対象領域の３次元情報を取得する。そして、対象領域の３次元情報と、背景の３次元情報、すなわち、侵入物体が存在しない初期状態で撮像された撮像画像から取得した３次元情報とを比較して、監視エリアに侵入した物体を検知する。
【００４１】
このように本実施形態では、フレーム画像間の差分領域を３次元計測の対象領域として、対象領域を絞り込んで３次元計測を行うため、３次元計測の処理負荷を大幅に軽減することができ、これにより、カメラ１の制御部１３でリアルタイムな処理が可能となる。なお、差分領域抽出の処理が追加されるが、この差分領域抽出の処理は、簡単な処理であり、処理負荷を顕著に増大させるものではない。
【００４２】
また、本実施形態では、今回および前回の２つのフレーム画像の明るさを揃える正規化を行うため、差分領域抽出の処理が、フレーム画像の明るさの違いによる影響を受けにくくなり、侵入物体ではない領域が差分領域として抽出されることを抑制して、３次元計測の対象領域としての差分領域を適切に抽出して、３次元計測の対象領域を十分に絞り込むことができる。
【００４３】
また、図２に示したように、差分領域抽出の処理で、侵入物体ではない領域が僅かながら差分領域として抽出される場合があるが、この領域では、３次元計測において背景領域と同じ計測値が得られることから、侵入物体ではないと明らかに判別できるため、誤検知が発生することはない。すなわち、侵入物体ではない領域が差分領域として抽出されても、これは侵入検知の精度に影響を与えない。
【００４４】
なお、本実施形態では、正規化および差分領域抽出の各処理を、左側の撮像部１１の撮像画像を対象にして行うようにしたが、左右の撮像画像のいずれか一方を対象とすればよく、右側の撮像部１２の撮像画像を対象にして正規化および差分領域抽出の各処理を行うようにしてもよい。
【００４５】
また、本実施形態では、差分領域抽出の前処理として、正規化を行うようにしたが、正規化の他に、ゲイン調整を行うようにしてもよい。
【００４６】
次に、カメラ１の概略構成について説明する。図４は、カメラ１の概略構成を示すブロック図である。
【００４７】
カメラ１は、左右の撮像部１１，１２と、制御部１３と、記憶部１４と、通信部１５と、を備えている。
【００４８】
通信部１５は、制御部１３で生成した監視画面をモニタ２に送信する。また、通信部１５は、制御部１３で侵入物体を検知した場合に、所定の報知動作を行わせる指示信号を警報装置３に送信する。
【００４９】
記憶部１４は、撮像部１１，１２から出力される撮像画像や、制御部１３を構成するプロセッサで実行されるプログラムなどを記憶する。また、記憶部１４は、背景の３次元情報、すなわち、侵入物体が存在しない初期状態で撮像された撮像画像から取得した３次元情報を記憶する。この背景の３次元情報は、撮像画像の全体、すなわち、監視エリアの全体の３次元情報である。
【００５０】
制御部１３は、撮像制御部２１（画像取得部）と、正規化処理部２２と、差分領域抽出部２３と、３次元計測部２４と、侵入検知部２５と、画面生成部２６と、を備えている。この制御部１３は、プロセッサで構成され、制御部１３の各部は、記憶部１４に記憶されたプログラムをプロセッサで実行することで実現される。なお、既設の監視カメラを利用する場合には、制御部１３として、エッジコンピュータ等のアダプタ的な端末を接続するようにしてもよい。
【００５１】
撮像制御部２１は、左右の撮像部１１，１２を制御し、左右の撮像部１１，１２が同一のタイミングで撮像を行うための同期信号を左右の撮像部１１，１２に出力する。また、撮像制御部２１は、左右の撮像部１１，１２から出力される左右の撮像画像を取得する。
【００５２】
正規化処理部２２は、差分領域抽出部２３で比較される２つのフレーム画像（撮像画像）、すなわち、今回（現在）のフレーム画像および前回（直前）のフレーム画像の明るさを揃える正規化を行う。具体的には、２つのフレーム画像の各画素の輝度から、２つのフレーム画像ごとの平均輝度を求めて、その２つのフレーム画像ごとの平均輝度の差分に基づいて、２つのフレーム画像の平均輝度が一致するように、フレーム画像の各画素の輝度を補正する。
【００５３】
なお、本実施形態では、２つのフレーム画像の平均輝度を揃える正規化を行うようにしたが、２つのフレーム画像の最大輝度を揃える正規化を行うようにしてもよい。また、本実施形態では、各画素の輝度に基づいて正規化を行うようにしたが、輝度以外の画素値に基づいて正規化を行うようにしてもよい。
【００５４】
差分領域抽出部２３は、正規化処理部２２で取得した正規化済みの２つのフレーム画像を比較して、フレーム画像間の差分領域を３次元計測の対象領域として抽出する。この処理では、撮像画像内で変化が現れた領域、すなわち、被写体に動きのある領域が差分領域として抽出される。具体的には、２つのフレーム画像の各画素の輝度を比較して、輝度に有意な差異が認められる画素を検出する。
【００５５】
３次元計測部２４は、差分領域抽出部２３で取得した３次元計測の対象領域（差分領域）の位置情報と、撮像制御部２１で取得した左右の撮像画像とに基づいて、左右の撮像画像における対象領域を対象にして、被写体の３次元位置を計測する３次元計測を行って、対象領域の３次元情報を取得する。
【００５６】
侵入検知部２５は、３次元計測部２４で取得した対象領域の３次元情報と、記憶部１４に記憶された背景の３次元情報とに基づいて、監視エリアに侵入した物体、すなわち、監視エリアに新たに出現した物体を検知する。具体的には、対象領域の３次元情報と、背景の３次元情報、すなわち、侵入物体が存在しない初期状態で撮像された撮像画像から取得した３次元情報とを比較して、侵入物体を表す前景領域を検出して、その前景領域の位置情報を取得する。
【００５７】
また、侵入検知部２５は、検知した侵入物体にＩＤを付与する。このＩＤは、検知した順に付与され、侵入物体の大きさや色などの特徴情報に基づいて、各時刻の撮像画像（フレーム画像）で検知された侵入物体が、以前に検知された侵入物体と同一と判定されると、その侵入物体には同一のＩＤが付与される。なお、ＩＤは、検知した順に付与されることから、侵入物体の検知順位を表すものとなる。
【００５８】
また、侵入検知部２５は、３次元計測部２４で取得した侵入物体（前景領域）の３次元情報に基づいて、侵入物体の大きさ（高さ、幅および奥行きなど）に関する情報を取得する。
【００５９】
また、侵入検知部２５は、３次元計測部２４で取得した侵入物体（前景領域）の３次元情報に基づいて、物体の大きさや形状などの特徴を抽出して、その特徴に基づいて、侵入物体の種別を判定する。
【００６０】
また、侵入検知部２５は、侵入物体を検知した時刻（検知時刻）や、侵入物体を検知した状態が現在まで継続している場合において、侵入物体を検知してから現在までの経過時間（検知時刻からの経過時間）を取得する。
【００６１】
画面生成部２６は、モニタ２に表示する監視画面（図５，図６参照）を生成する。具体的には、侵入検知部２５で取得した侵入物体を表す前景領域の位置情報に基づいて、侵入物体を取り囲む枠画像（マーク画像）を生成して、その枠画像を、左側の撮像画像上に重畳して監視画面に表示する。また、侵入検知部２５で取得した侵入物体のＩＤや大きさなどに関する情報に基づいて、その侵入物体のＩＤや大きさなどに関する文字情報を撮像画像上に重畳して監視画面に表示する。
【００６２】
ところで、本実施形態では、差分領域抽出部２３において、連続した２つのフレーム画像、すなわち、今回（現在）のフレーム画像と前回（直前）のフレーム画像とを比較して、フレーム画像間の差分領域を抽出するようにしたが、撮像時刻が異なる２つのフレーム画像を比較すればよく、比較する２つのフレーム画像は連続したものに限定されない。
【００６３】
ここで、連続したフレーム画像では、環境変動による画像の変化が小さいため、正規化の効果があまり大きくない。一方、比較するフレーム画像の時間間隔を大きくする、すなわち、フレーム画像を間引いて比較すると、環境変動による画像の変化が大きくなるため、正規化の効果が大きくなり、さらに、被写体に動きのある領域、すなわち、侵入物体の領域を、差分領域として確実に抽出することができる。
【００６４】
そこで、正規化処理部２２で正規化を行い、かつ、差分領域抽出部２３においてフレーム画像を間引いて比較する第１の処理モードと、正規化処理部２２で正規化を行わず、かつ、差分領域抽出部２３において連続したフレーム画像を比較する第２の処理モードとを設けて、いずれかの処理モードをユーザが選択できるようにしてもよい。
【００６５】
また、撮像画像（フレーム画像）内において侵入物体が出現する可能性がある領域を計測領域としてユーザが指定して、その計測領域を対象にして、正規化、差分領域抽出、３次元計測、および侵入検知の各処理を行うようにしてもよい。
【００６６】
また、撮像画像（フレーム画像）を縮小する、すなわち、撮像画像の画素数を削減する処理を行った上で、正規化および差分領域抽出の各処理を行い、取得した縮小画像上での差分領域の画素の位置から、元の撮像画像上での差分領域の画素の位置を取得するようにしてもよい。
【００６７】
また、本実施形態では、フレーム画像間の差分領域を抽出するようにしたが、いわゆる背景差分で差分領域を抽出する、すなわち、侵入物体が存在しない初期状態で撮像された撮像画像（背景画像）と、今回（現在）の撮像画像とを比較して、差分領域を抽出するようにしてもよい。
【００６８】
次に、モニタ２に表示される監視画面について説明する。図５，図６は、モニタ２に表示される監視画面を示す説明図である。
【００６９】
図５，図６に示すように、監視画面には、左側の撮像部１１の撮像画像３１が表示される。本実施形態では、図５に示すように、検知された侵入物体を示す枠画像３２（マーク画像）が撮像画像３１上に重畳して表示される。
【００７０】
図５に示す例では、侵入物体の種別（人物、車両、荷物など）に応じて、侵入物体を表す枠画像３２が色分けして表示される。これにより、侵入物体の種別を監視者が即座に把握することができる。
【００７１】
また、検知時刻からの経過時間に応じて、枠画像３２を色分けして表示するようにしてもよい。この場合、経過時間が長くなるのに応じて、次第に枠画像３２の色が濃くなるようにしてもよい。これにより、監視エリア内に長時間滞留する物体を監視者が即座に把握することができる。
【００７２】
なお、本実施形態では、侵入物体を示すマーク画像として、侵入物体を取り囲む矩形の枠画像３２を表示するようにしたが、マーク画像は、矩形に限定されるものではなく、円形などの種々の形状としてもよい。また、マーク画像は、侵入物体を取り囲む形態に限定されるものではなく、矢印の画像などで侵入物体を指し示すようにしてもよい。
【００７３】
また、本実施形態では、左側の撮像部１１の撮像画像３１を監視画面に表示するようにしたが、監視画面には左右の撮像画像のいずれか一方を表示すればよく、右側の撮像部１２の撮像画像を監視画面に表示するようにしてもよい。
【００７４】
また、本実施形態では、図６（Ａ），（Ｂ）に示すように、検知した侵入物体に関する文字情報が記載されたラベル３３が、枠画像３２の近傍に表示される。
【００７５】
図６（Ａ）に示す例では、侵入物体の大きさ（高さ、幅および奥行き）に関する情報がラベル３３に記載されている。これにより、侵入物体の大きさを監視者が容易に把握することができる。
【００７６】
図６（Ｂ）に示す例では、侵入物体に付与されたＩＤ（物体識別情報）がラベル３３に記載されている。このＩＤにより、監視者が侵入物体を追跡することができる。
【００７７】
この他に、検知時刻、検知順位、および検知時刻からの経過時間をラベル３３に記載するようにしてもよい。
【００７８】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【００７９】
本発明に係る３次元侵入検知システムおよび３次元侵入検知方法は、３次元計測の処理負荷を軽減して、カメラに内蔵されたプロセッサなどの低速のプロセッサでもリアルタイムな処理が可能になる効果を有し、離間配置された少なくとも２つの撮像部で監視エリアを撮像した複数の撮像画像から、監視エリアの３次元情報を取得して、その３次元情報に基づいて、監視エリアに侵入した物体を検知する３次元侵入検知システムおよび３次元侵入検知方法などとして有用である。
【符号の説明】
【００８０】
１  カメラ（カメラ装置）
２  モニタ（表示装置）
１１，１２  撮像部
１３  制御部
１４  記憶部
１５  通信部
２１  撮像制御部
２２  正規化処理部
２３  差分領域抽出部
２４  次元計測部
２５  侵入検知部
２６  画面生成部
３１  撮像画像
３２  枠画像
３３  ラベル
【図１】
2019079173.tif 000003
【図２】
2019079173.tif 000004
【図３】
2019079173.tif 000005
【図４】
2019079173.tif 000006
【図５】
2019079173.tif 000007
【図６】
2019079173.tif 000008